(57)【要約】      （修正有）【課題】簡易的にテレビやラジオの音声出力を調整し、「音声を手元で聞きたい」、「音声をゆっくり聞きたい」、「音声をはっきり聞きたい」といったニーズに個別もしくは複合的に対応することで、健常者と高齢者とが同じテレビを同じ空間で楽しむことができる音声再生装置を提供する。【解決手段】音響機器の出力端子に接続され、音声信号をコードレスで送信する送信機１と、該送信機１からの信号を受信して音声信号を出力する受信機２とを備えた音声再生装置において、受信機２に、受信した信号を通常の速度よりも遅くして出力する話速変換機能を備えたものである。【選択図】図２
0003165238.tif 000002
【実用新案登録請求の範囲】
【請求項１】
テレビの出力端子に接続し、音声信号をワイヤレスで送信する送信機と、該送信機からの信号を受信して音声信号を出力する受信機とを備えた音声再生装置において、
前記受信機に、受信した信号を通常の速度よりも遅くして出力する話速変換機能を備えたことを特徴とする音声再生装置。
【請求項２】
上記請求項１記載の音声再生装置において、前記受信機は、送信機からの信号を受信する受信部と、音声出力するスピーカと、中空状の収納部とを備え、
卓上に載置した状態で前記収納部にリモコンなどを収納可能にし、前記スピーカを収納部とは逆面に設けたことを特徴とする音声再生装置。
【請求項３】
上記請求項１記載の音声再生装置において、前記受信機は、送信機からの信号を受信する受信部と、使用者の胸元近傍に装着するための装着部と、使用者に向けて音声出力するスピーカとを備え、
前記装着部により受信機を使用者の胸元近傍に装着した姿勢で、前記スピーカが使用者側に指向するように配置されていることを特徴とする音声再生装置。
【請求項４】
上記請求項１記載の音声再生装置において、前記受信機は、送信機からの信号を受信する受信部と、該受信部で受信した音声を出力するスピーカと、該スピーカを使用者の耳元近傍に装着するための装着部とを備え、
前記装着部によりスピーカを使用者の耳元近傍に装着した姿勢で、前記スピーカが使用者の耳に指向するように配置されていることを特徴とする音声再生装置。
【考案の詳細な説明】
【技術分野】
【０００１】
本考案は、テレビの音声を離れた位置で明瞭に聴取する音声再生装置に関し、特に受信した音声信号を聞き取りやすい状態で出力する機能を備えたものに関する。
【背景技術】
【０００２】
この種の装置として、特許文献１が知られている。この装置は、図１に示すように、テレビの音声信号を赤外線信号にて送信する送信機と、聴取者の近傍でこの赤外線信号を受信して音声出力する受信機とからなり、テレビから離れた位置でテレビの音声を聞き取ることができるため、高齢者や難聴者を中心に利用が広まっている。
【０００３】
ところで、テレビの音声は、話速が速すぎて高齢者や難聴者にとっては聞き取りにくいという指摘があった。これに対応するため、特許文献２のように、音声を聞き取りやすい速度にする話速変換機能を備えたテレビが提案されている。しかし、このような装置では、通常音声と高齢者向けに加工した音声とを選択して出力するようになっているため、健常者と高齢者が一緒にテレビを視聴するような場合、両者が満足できる環境にはならないという問題がある。また、話速変換機能を備えたテレビを新たに買い換えなければならないという点も問題である
【先行技術文献】
【特許文献】
【０００４】
【特許文献１】登録実用新案第３０５３６８０号公報
【特許文献２】特開平９−２４７５６３号公報
【考案の概要】
【考案が解決しようとする課題】
【０００５】
本考案は、現在使用しているテレビやラジオを用いて簡易的に音声出力を調整し、「音声を手元で聞きたい」、「音声をゆっくり聞きたい」、「音声をはっきり聞きたい」といったニーズに個別もしくは複合的に対応することで、健常者と高齢者とが同じテレビを同じ空間で楽しむことができる音声再生装置を提案することを目的とする。
【課題を解決するための手段】
【０００６】
このような課題を解決するために本考案は、音響機器の出力端子に接続され、音声信号をコードレスで送信する送信機と、該送信機からの信号を受信して音声信号を出力する受信機とを備えた音声再生装置において、受信機に、受信した信号を通常の速度よりも遅くして出力する話速変換機能を備えたものである。
【０００７】
また、前記受信機は、送信機からの信号を受信する受信部と、音声出力するスピーカと、中空状の収納部とを備え、卓上に載置した状態で収納部にリモコンなどを収納可能にし、スピーカを収納部とは逆面に設けたものである。
【０００８】
更に、前記受信機は、送信機からの信号を受信する受信部と、使用者の胸元近傍に装着するための装着部と、使用者に向けて音声出力するスピーカとを備え、装着部により受信機を使用者の胸元近傍に装着した姿勢で、スピーカが使用者側に指向するように配置されたものである。
【０００９】
また、前記受信機は、送信機からの信号を受信する受信部と、受信部で受信した音声を出力するスピーカと、スピーカを使用者の耳元近傍に装着するための装着部とを備え、装着部によりスピーカを使用者の耳元近傍に装着した姿勢で、スピーカが使用者の耳に指向するように配置されたものである。
【考案の効果】
【００１０】
本考案によれば、受信した音声の速度をゆっくりにすることができるため、高齢者や難聴者がテレビ等の音声を聞き取りやすくなる。また、音響機器そのものを購入する必要がないため、安価に話速変換を実現することができる。また、受信機を使用者の近くに配置できるようにポータブルな形状とし、リモコンや眼鏡などの収納部を備えたので、必要なものを包括的にまとめておくことができる。
【００１１】
更に、受信機を小型にし、使用者の胸元や耳元近傍に装着できるようにすることで、周囲への音声漏れが抑えられ、テレビ本体からの通常音声と受信機からのゆっくり音声が混合せず、健常者と高齢者が同じテレビを見ながら希望する音声を楽しむことができる。
【図面の簡単な説明】
【００１２】
【図１】従来の音声再生装置の使用状態を示す説明図である。
【図２】実施例１の音声再生装置を示す説明図である。
【図３】受信機２の外観図を示す説明図である。
【図４】実施例２を示す説明図である。
【図５】実施例３を示す説明図である。
【実施例１】
【００１３】
以下、本考案の実施例１について図面を基に説明する。図１は音声再生装置のブロック図である。
本発明に係る音声伝達装置は、音声信号を赤外線信号で送信する送信機１と、この送信機１が発信する赤外線信号を受信して音声信号を出力する受信機２とから構成され、送信機１をテレビＴのイヤホン端子又はライン端子に接続し、取り込んだ音声信号を赤外線信号に変換して送信し、受信機２でその赤外線信号を受信して音声として再生するものである。
【００１４】
送信機１は、電源入切及び電流変換を行う電源部３と、テレビの音声信号を変調する変調部４と、変調した音声信号を赤外線発光する赤外線発光素子５を備えている。電源部３は、商用交流電源をＤＣ電源に変換する機能と、テレビＴからの音声が入切するのに合わせて電源を入切する機能を備えている。
【００１５】
受信機２は、送信機１の発光部５からの赤外線信号を受信する赤外線受光素子６と、受光素子６で受信した赤外線信号を音声信号に復調する復調部７と、復調された音声信号を増幅する増幅部８と、復調された音声信号の高音域を強調する高音域増幅部９と、復調された音声信号の話速をゆっくりにする話速変換部１０と、音声信号を出力するスピーカ１１とを備えている。高域信号増幅部９は、主に高齢者や難聴者が聞き取りにくいとされる高域周波数帯（２〜４ＫＨｚ）を他レベルに比べて１５ｄＢ程度増幅するものであり、音域強調スイッチ１２により「通常」と「はっきり」が切り替えられる。話速変換部１０は、原音声を有音区間と無音区間とに区切り、有声区間の伸長処理と無音区間の短縮処理を行い、テレビ映像と音声とのズレを抑えながらゆっくりした音声で変換するもので、話速変換スイッチ１３により「通常」と「ゆっくり」が切り替えられる。
尚、話速変換の具体的な処理方法については、特許第３３５７７４２号や特許第３３７３９３３号等で開示されている。
【００１６】
図３は受信機２の外観図を示す説明図である。
受信機２のケーシングは、平面視で前円後方形状をなし、前円部は、上面に音域強調スイッチ１２・話速変換スイッチ１３・音量調整つまみ１４を備えた操作パネル１５を備え、前面にスピーカ１１、一側面に電源スイッチ１６と出力端子１７を備えている。また後方形部は、テレビのリモコンや眼鏡等が収納できる上面を開放した収納部１８を形成し、収納部１８の開口縁には受光素子６が所定間隔で複数埋設され、その表面に半透明のカバー１９が取り付けられている。
【００１７】
実施例１は以上のように構成されるものであり、送信機１をテレビＴの音声出力端子及び電源に接続して邪魔にならない場所（例えばテレビ上面）に設置し、受信機２を使用者近くの卓上に載置して使用される。送信機１は、テレビＴから音声が出力されると連動して電源が入り、変調部４で変調した音声信号を赤外線発光素子５から赤外線発光する。受信機２は、電源スイッチ１６を入れると送信機１からの赤外線信号を受信し、復調部７で復調した音声信号をスピーカ１１から出力する。このとき操作パネル１５で音域強調スイッチ１２を押すと、高音域を増幅した音声が出力され、話速変換スイッチ１３を押すと、速度を遅くした音声が出力される。これにより、テレビからの通常音声・はっきり音声・ゆっくり音声・はっきり／ゆっくり音声を選択することができる。
【実施例２】
【００１８】
続いて、本考案の実施例２について図面を基に説明する。図４は本考案の実施例２を示す説明図である。尚、実施例２において、実施例１と受信機の構造が異なっている。
受信機２０は、側面視縦長で上部にいくにつれて順次前傾する形状をなし、上面にスピーカ２１、前面に受光部２２・音域強調スイッチ２３・話速変換スイッチ２４・電源スイッチ２５、一側面に音量調整つまみ２６と出力端子２７、背面に使用者の胸ポケット等に取り付けるためのクリップ２８、底面に入力端子２９をそれぞれ備えている。
【００１９】
受光部２２は、複数の受光素子からなり、この受光素子が配設された面は半透過性のカバーにより覆われており、送信機１からの赤外線信号を受光しやすくしている。スピーカ２１は、水平に対して背面側が低くなるように傾斜させた上面に取り付けられており、受信機２０を装着した使用者が音声出力を受けやすいようになっている。クリップ２８は、受信機２０の装着状態に関係なく、スピーカ２１が使用者の耳に指向するよう、回転自在に設けられている。これにより、音声の散乱が軽減し、使用者に対してより鮮明な音声信号を提供することができる。
【００２０】
実施例２は以上のように構成されるものであり、使い方としては実施例１と同様である。
尚、卓上スタンドを付属して、実施例１のように卓上に設置して複数の使用者で音声を聴取することも可能である。また、入力端子を備えて集音マイクを接続して、周囲の会話を取り込んで聞き取りやすくしたり、外部機器（ステレオやラジオ等）を接続して、音楽や番組を楽しんだりするといった使い方も可能である。
【実施例３】
【００２１】
続いて、本考案の実施例３について図面を基に説明する。図５は本考案の実施例３を示す説明図である。尚、実施例３において、内部構造やその他周辺機器は実施例２と同じである。
受信機３０は、上面に首掛けストラップ３１が着脱される構成になっている。
すなわち、上面を挟んだ左右に雌型コネクタ３２，３２を備え、両端に雄型コネクタ３３，３３を備えたストラップ３１を接続して使用される。使用者は、このストラップ３１によって受信機３０を首からぶら下げ、スピーカ３４からの音声出力を聴取するのである。
【００２２】
また、高度難聴者に対して、更に耳元で音声を出力できるように、ストラップ３１に小型スピーカ３５，３５を取り付け可能にしている。この場合、小型スピーカ３５，３５のケーブル３６を出力端子３７に接続した状態で、クリップ３８，３８等の取付手段によりストラップ３１の希望位置に取り付けるようにする。尚、ストラップ３１内の適宜位置に小型スピーカを内蔵しても良い。この場合、ケーシングのスピーカから出力するのか、ストラップのスピーカから出力するのかを選択するスイッチを設け、使用者や使用状況に応じて切り替えるようにする。
【００２３】
実施例３は以上のように構成されるものであり、ストラップ３１によって受信機３０を首からぶら下げることができる。この場合、場所の移動や体勢の切り替えの度に受信機を近くに移動させる煩わしさが解消され、常に耳元付近でテレビ音声を聴取することが可能になる。また、ストラップに小型スピーカを取り付けるようにすれば、高度な難聴者であっても十分に音声を聞き取ることができ、利用範囲を広めることができる。
【００２４】
尚、これら実施例１乃至３は、音声信号を赤外線信号に変調して送受信するものについて説明したが、電波信号にＦＭ変調して送受信するものでも良い。また、テレビのイヤホン端子又はライン端子に接続するのではなく、スピーカ面にマイクを貼付して音声信号をピックアップするようにしても良く、送受信の形態や音声信号の抽出方法には特に限定がない。
【符号の説明】
【００２５】
１    送信機
２    受信機
３    電源部
４    変調部
５    赤外線発光素子
６    赤外線受光素子
７    復調部
８    増幅部
９    高音域増幅部
１０  話速変換部
１１  スピーカ
１２  音域強調スイッチ
１３  話速変換スイッチ
１４  音量調整つまみ
１５  操作パネル
１６  電源スイッチ
１７  出力端子
１８  収納部
【図１】
0003165238.tif 000003
【図２】
0003165238.tif 000004
【図３】
0003165238.tif 000005
【図４】
0003165238.tif 000006
【図５】
0003165238.tif 000007
【手続補正書】
【提出日】平成22年11月2日(2010.11.2)
【手続補正１】
【補正対象書類名】実用新案登録請求の範囲
【補正対象項目名】全文
【補正方法】変更
【補正の内容】
【実用新案登録請求の範囲】
【請求項１】
音響機器の出力端子に接続し、音声信号をワイヤレスで送信する送信機と、該送信機からの信号を受信して音声信号を出力する受信機とを備えた音声再生装置において、
前記受信機に、受信した音声信号を通常の速度よりも遅くして出力する話速変換スイッチを備えたことを特徴とする音声再生装置。
【請求項２】
上記請求項１記載の音声再生装置において、前記受信機は、送信機からの信号を受信する受信部と、音声出力するスピーカと、中空状の収納部とを備え、
卓上に載置した状態で前記収納部にリモコンなどを収納可能にし、前記スピーカを収納部とは逆面に設けたことを特徴とする音声再生装置。
【請求項３】
上記請求項１記載の音声再生装置において、前記受信機は、前面に送信機からの信号を受信する受信部、上面に音声出力するスピーカ、背面に装着用のクリップとを備え、
前記クリップで受信機を使用者の胸元近傍に装着した姿勢で、スピーカが使用者側に指向するように、受信機の上面を水平に対して背面側に傾斜させたことを特徴とする音声再生装置。
【請求項４】
上記請求項１記載の音声再生装置において、前記受信機は、送信機からの信号を受信する受信部と、該受信部で受信した音声を出力するスピーカと、受信機を首からぶら下げるための首掛けストラップとを備え、
前記首掛けストラップで受信機を使用者の首からぶら下げた姿勢で、前記スピーカが使用者の耳に指向するように、スピーカを首掛けストラップの任意位置に取り付け可能にしたことを特徴とする音声再生装置。
【手続補正２】
【補正対象書類名】明細書
【補正対象項目名】０００６
【補正方法】変更
【補正の内容】
【０００６】
このような課題を解決するために本考案は、音響機器の出力端子に接続し、音声信号をワイヤレスで送信する送信機と、該送信機からの信号を受信して音声信号を出力する受信機とを備えた音声再生装置において、受信機に、受信した音声信号を通常の速度よりも遅くして出力する話速変換スイッチを備えたものである。
【手続補正３】
【補正対象書類名】明細書
【補正対象項目名】０００８
【補正方法】変更
【補正の内容】
【０００８】
更に、前記受信機は、前面に送信機からの信号を受信する受信部、上面に音声出力するスピーカ、背面に装着用のクリップとを備え、
前記クリップで受信機を使用者の胸元近傍に装着した姿勢で、スピーカが使用者側に指向するように、受信機の上面を水平に対して背面側に傾斜させたものである。
【手続補正４】
【補正対象書類名】明細書
【補正対象項目名】０００９
【補正方法】変更
【補正の内容】
【０００９】
また、前記受信機は、送信機からの信号を受信する受信部と、該受信部で受信した音声を出力するスピーカと、受信機を首からぶら下げるための首掛けストラップとを備え、前記首掛けストラップで受信機を使用者の首からぶら下げた姿勢で、前記スピーカが使用者の耳に指向するように、スピーカを首掛けストラップの任意位置に取り付け可能にしたものである。